【事件の表示】
　特願２０１７−１９４２１９号「弾球遊技機」拒絶査定不服審判事件〔平成２９年１２月２８日出願公開、特開２０１７−２２５８６９号〕について、次のとおり審決する。
【結　論】
　本件審判の請求は、成り立たない。
【理　由】
第１　手続の経緯
　本願は、平成２７年７月１０日に出願した特願２０１５−１３８８３４号の一部を平成２９年１０月４日に新たな特許出願（特願２０１７−１９４２１９号）としたものであって、平成３０年１月９日付けで拒絶の理由が通知され、同年２月７日に意見書及び手続補正書が提出され、同年４月４日付けで拒絶の理由が通知され、同年６月８日に意見書及び手続補正書が提出されたところ、同年８月３日付け（発送日：同年８月１４日）で拒絶査定がなされ、それに対して、同年１１月７日に拒絶査定不服審判の請求がなされると同時に手続補正がなされ、これに対し、当審において、令和１年７月３０日付けで拒絶の理由が通知され、同年９月２７日に意見書及び手続補正書が提出されたものである。
第２　本願発明
　本願の請求項１に係る発明（以下「本願発明」という。）は、令和１年９月２７日になされた手続補正により補正された特許請求の範囲の請求項１に記載された次のとおりのものである（Ａ〜Ｎは、本願発明を分説するために当審で付与した。）。
「【請求項１】
Ａ　遊技領域が形成された遊技盤と、
Ｂ　前記遊技領域の所定位置に設けられる始動入賞口と、
Ｃ　前記始動入賞口への入球を契機として取得される抽選値に基づいて、通常遊技より遊技者に有利な状態である特別遊技へ移行するか否かを判定するための当否判定を実行する当否判定手段と、
Ｄ　前記当否判定の結果を示すための特別図柄が変動表示される特別図柄表示装置と、
Ｅ　前記当否判定が前記特別遊技へ移行させる結果となったことを示す特別図柄が前記特別図柄表示装置に停止表示された場合に前記特別遊技を実行する特別遊技制御手段と、
Ｆ　前記当否判定の結果に基づいて演出的な内容が表示される演出表示装置と、
Ｇ　前記当否判定の結果を前記演出表示装置にて演出的に示す演出図柄の変動表示過程が定められた複数種の変動演出パターンからいずれかを決定する演出決定手段と、
Ｈ　前記演出図柄を前記変動演出パターンにしたがって前記演出表示装置に表示させる演出表示制御手段と、を備え、
Ｉ　前記演出表示装置に表示される前記演出図柄の変動表示として、装飾図柄の変動表示と、代替図柄の変動表示と、簡易図柄の変動表示と、があり、
Ｊ　前記演出図柄の変動表示として、前記装飾図柄および前記簡易図柄が同時に変動表示される場合と、前記代替図柄および前記簡易図柄が同時に変動表示される場合と、前記装飾図柄および前記代替図柄を非表示にして前記簡易図柄が変動表示される場合とがあり、
Ｋ　前記装飾図柄は、図柄種類を示す部分と付帯して表示される付帯部分とを有し、
Ｌ　前記代替図柄は、前記装飾図柄の図柄種類を示す部分に対応した外観上の表示形態を有し、前記装飾図柄を非表示とする場合に前記装飾図柄が変動表示される領域よりも狭い領域内において前記装飾図柄の代わりに変動表示され、
Ｍ　前記簡易図柄は、前記装飾図柄の図柄種類を示す部分に対応した外観上の表示形態を有する複数の図柄で構成され、前記特別図柄の変動表示中に常時変動表示されることにより前記特別図柄が変動表示中であることを示唆し、その複数の図柄のすべてが停止表示されることにより前記当否判定の結果を示唆する
Ｎ　弾球遊技機。」
第３　当審拒絶理由の概要
　令和１年７月３０日付けの当審における拒絶の理由のうちの理由１−１、１−２の概要は、以下のとおりのものである。
　
１．（進歩性）本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
●理由１−１（進歩性）について 
・本願発明について 
・引用文献等　１〜２ 
●理由１−２（進歩性）について 
・本願発明について 
・引用文献等　３、１ 
引用文献１：特開２０１２−１８３２２０号公報（新たに引用した文献） 
引用文献２：“ＣＲ ぱちんこキン肉マン 夢の超人タッグ編”，youtube，２０１４年　５月２３日，０分０６秒〜０分４１秒，［2018年4月2日検索］，
ＵＲＬ，https://www.youtube.com/watch?v=jL7vB8HsjMI
引用文献３：特開２００６−１８１１８１号公報（新たに引用した文献）
第４　引用文献に記載された事項
１　引用文献１
　当審における拒絶の理由（令和１年７月３０日付け拒絶理由通知書）に引用文献１として引用された本願の出願遡及日前に頒布された特開２０１２−１８３２２０号公報（以下「引用文献１」という。）には、図面とともに次の事項が記載されている（下線は当審で付した。以下同じ。）。
（ア）「【００３５】
　以下、本発明の実施形態について、図面を参照しながら説明する。
　図１は、パチンコ遊技機（以下、「パチンコ機」と略称する。）１の正面図である。また図２は、
パチンコ機１
（イ）「【００４１】
　またパチンコ機１は、遊技用ユニットとして遊技盤８を備えている。遊技盤８は、ガラス枠ユニット４の背後（内側）で上記のプラ枠アセンブリ７に支持されている。遊技盤８は、例えばガラス枠ユニット４を前面側へ開放した状態でプラ枠アセンブリ７に対して着脱可能である。ガラス枠ユニット４には、その中央部に縦長円形状の窓４ａが形成されており、この窓４ａ内にガラスユニット（参照符号なし）が取り付けられている。ガラスユニットは、例えば窓４ａの形状に合わせてカットされた２枚の透明板（ガラス板）を組み合わせたものである。ガラスユニットは、ガラス枠ユニット４の裏側に図示しないヒンジ機構を介して開閉式に取り付けられる。
遊技盤８
には遊技領域８ａ
が形成され
（ウ）「【００４６】
〔盤面の構成〕
　
遊技領域８ａ内には、
可変始動入賞装置２８、可変入賞装置３０
が設置されている
（エ）「【００５２】
　図３は、遊技盤８の一部（窓４ａ内の右下位置）を拡大して示す正面図である。
第１特別図柄表示装置３４及び第２特別図柄表示装置３５は
７セグメントＬＥＤ（ドット付き）により特別図柄の変動状態と停止状態とを表示する
（オ）「【００７５】
　上述した始動ゲート２０には、遊技球の通過を検出するためのゲートスイッチ７８が一体的に設けられている。また遊技盤８には、右始動入賞口２６、可変始動入賞装置２８及び可変入賞装置３０にそれぞれ対応して
右始動入賞口スイッチ８０、左始動入賞口スイッチ８２
各始動入賞口スイッチ８０，８２は、右始動入賞口２６、可変始動入賞装置２８
への遊技球の入賞を検出する
（カ）「【０１３５】
　本実施形態では、
右始動入賞口スイッチ８０又は左始動入賞口スイッチ８２から入賞検出信号（ＯＮ）が入力されると、主制御ＣＰＵ７２は
第１特別図柄又は第２特別図柄に対応した内部抽選の契機（抽選契機）となる事象が発生したと判定する
・・・
【０１４２】
　ステップＳ２１０：次に主制御ＣＰＵ７２は、表示出力管理処理を実行する。この処理では、主制御ＣＰＵ７２は普通図柄表示装置３３、普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ、遊技状態表示装置３８等の点灯状態を制御する。具体的には、先の特別図柄遊技処理（ステップＳ２０５）や普通図柄遊技処理（ステップＳ２０６）においてポート出力要求バッファに格納されている駆動信号をポート出力する。なお駆動信号は、各ＬＥＤに対して印加するバイトデータとしてポート出力要求バッファに格納されている。これにより、
各ＬＥＤが
図柄の変動表示や停止表示
を行う態様
で駆動される
（キ）「【０２１０】
　ステップＳ５０００：可変入賞装置管理処理は、先の特別図柄停止表示中処理において当りの態様（非当選以外の態様）で特別図柄が停止表示された場合に選択される。例えば、
特別図柄が
大当りの態様で停止表示されると、それまでの通常状態から大当り遊技状態（遊技者にとって有利な特別遊技状態）に移行する
（ク）「【０２２５】
　ステップＳ２２００：主制御ＣＰＵ７２は、特別図柄記憶エリアシフト処理を実行する。この処理では、主制御ＣＰＵ７２はＲＡＭ７６の乱数記憶領域に記憶されている
抽選用乱数（大当り決定乱数、大当り図柄乱数）
各乱数は、次の大当り判定処理で内部抽選に使用される
【０２２６】
　ステップＳ２３００：
主制御ＣＰＵ７２は、大当り判定処理（内部抽選）を実行する
大当り値の範囲
この範囲内に読み出した乱数値が含まれ
（ケ）「【０２３２】
　ステップＳ２４０５：次に
主制御ＣＰＵ７２は、はずれ時変動パターン決定処理を実行する
【０２３３】
　本実施形態では、
内部抽選の結果、非当選に該当した場合、
「リーチ演出」を発生させてはずれとしたり、「リーチ演出」を発生させずにはずれとしたりする
「はずれ時変動パターン選択テーブル」には、
「非リーチ演出」、「リーチ演出」に対応した変動パターンが規定されており
その中からいずれかの変動パターンが選択される
（コ）「【０２３７】
　図１９は、特別図柄の変動時間について説明する図である。
　本実施形態では、
特別図柄（第１特別図柄及び第２特別図柄）
（サ）「【０２５４】
〔図１７：特別図柄変動前処理を参照〕
　ステップＳ２４１２：次に
主制御ＣＰＵ７２は、大当り時変動パターン決定処理を実行する
【０２５５】
　本実施形態では、
内部抽選の結果、１５ラウンド大当り（１５ラウンド通常大当り又は１５ラウンド確変大当り）に該当した場合、
「リーチ演出」を発生させて大当りとする制御を行う
「１５ラウンド大当り当選時変動パターン選択テーブル」には、複数種類の「リーチ演出」に対応した変動パターンが規定されており、
その中からいずれかの変動パターンが選択される
（シ）「【０２６１】
　またステップＳ２４１４の処理において、主制御ＣＰＵ７２は大当り時停止図柄番号に基づいて
第１特別図柄表示装置３４又は第２特別図柄表示装置３５による停止図柄（大当り図柄）
（ス）「【０２８５】
〔当選時〕
　ステップＳ４３５０：主制御ＣＰＵ７２は、ジャンプテーブルのジャンプ先を「可変入賞装置管理処理」に設定する。
　ステップＳ４４００：そして
主制御ＣＰＵ７２は
大当り遊技中
をセットする
（セ）「【０３８０】
〔演出画像の例〕
　次に、パチンコ機１において実際に
液晶表示器４２に表示される演出
【０３８１】
　演出図柄には、例えば左演出図柄、中演出図柄、右演出図柄の３つが含まれており、これらは液晶表示器４２の画面上で左・中・右に並んで表示される（図１参照）。各
演出図柄は、
数字の「１」〜「９」とともにキャラクターが付された絵札をデザインしたものとなっている
（ソ）「【０３８７】
　また
第４図柄Ｚ１，Ｚ２については、はずれに対応する態様（
白表示色）で停止表示され
【０３８８】
〔変動表示演出開始〕
　図３４中（Ｂ）：例えば
第１特別図柄の変動開始に同期して、液晶表示器４２の表示画面上で３本の図柄列がスクロール変動することで変動表示演出が開始され
・・・
【０３９０】
　また、演出図柄の変動表示中、液晶表示器４２の画面下部では第４図柄Ｚ１が変動表示されており、
第４図柄Ｚ１は、その表示色を変化させることで変動表示を表現
（タ）「【０３９５】
〔停止表示演出〕
　図３４中（Ｅ）：
第１特別図柄の停止表示に同期して、最後の中演出図柄が停止する
はずれ
の
場合
このとき、第４図柄Ｚ１は、はずれに対応する態様（
白表示色）で停止表示され
（チ）「【０４００】
〔変動表示演出開始前〕
　
図３５中（Ａ）：液晶表示器４２の画面内には３本の演出図柄の列が大きく表示され
【０４０１】
〔変動表示演出開始〕
　
図３５中（Ｂ）：液晶表示器４２の表示画面上で３本の図柄列がスクロール変動することで変動表示演出が開始され
液晶表示器４２の画面下部では第４図柄Ｚ１が変動表示され
【０４０２】
〔扉閉演出〕
　
図３５中（Ｃ）：
第１特別図柄の変動中に表示画の両側から扉（襖）が出現し、中央でぴしゃりと閉じる演出が行われ
画面の左上隅位置では、演出図柄を縮小した状態で変動表示演出が実行されている（「１」−「変動中」−「変動中」）
（ツ）「【０４１８】
〔変動表示演出〕
　図３９中（Ａ）：
第１特別図柄（又は第２特別図柄）の変動開始に略同期して、液晶表示器４２の
左演出図柄、中演出図柄、右演出図柄の列が縦方向（
上から下）にスクロールするようにして変動表示演出が開始され
（テ）「【０４３０】
　図３９中（Ｊ）：そして、例えば
第１特別図柄又は第２特別図柄の確定停止表示に略同期して、演出図柄としての結果表示演出についても確定停止表示が行われ
また、この場合に第４図柄Ｚは、「１５ラウンド通常（非確変）大当り」に対応する態様（
青表示色）で停止表示される
【０４３１】
　
なお、ここでは「１５ラウンド通常大当り」の場合を例に挙げているが、内部抽選の結果が上記の「１５ラウンド確変大当り」であれば、
第４図柄Ｚは、「１５ラウンド確変大当り」に対応する態様（
緑表示色）で停止表示される
（ト）「【０４５１】
　ステップＳ４０４：表示出力処理では、
演出制御ＣＰＵ１２６は演出表示制御装置１４４
に対して
指示する
演出表示制御装置１４４
は指示された演出内容に基づいて液晶表示器４２による表示動作を制御する
（ナ）「【０４６４】
　ステップＳ５０２：演出図柄変動前処理では、演出制御ＣＰＵ１２６は演出図柄を用いた変動表示演出を開始するための条件を整える作業を行う。またこの処理において、演出制御ＣＰＵ１２６は各種の条件（抽選結果、当選種類、
変動パターン
に応じてリーチ演出の内容を選択
（ニ）図１
　上記【００４６】の「遊技領域８ａ内には、・・・可変始動入賞装置２８、可変入賞装置３０・・・が設置されている」との記載を参酌すると、図１には、
遊技領域８ａ内の下方に設置されている右始動入賞口２６、可変始動入賞装置２８
（ヌ）図３５
　上記【０４００】の「図３５中（Ａ）：液晶表示器４２の画面内には３本の演出図柄の列が大きく表示され」との記載、上記【０３８７】の「第４図柄Ｚ１，Ｚ２については、はずれに対応する態様（・・・白表示色）で停止表示され」との記載、上記【０４０１】の「図３５中（Ｂ）：液晶表示器４２の表示画面上で３本の図柄列がスクロール変動することで変動表示演出が開始され・・・液晶表示器４２の画面下部では第４図柄Ｚ１が変動表示され」との記載、上記【０３９０】の「第４図柄Ｚ１は、その表示色を変化させることで変動表示を表現」との記載、上記【０４０２】の「図３５中（Ｃ）：・・・第１特別図柄の変動中に表示画の両側から扉（襖）が出現し、中央でぴしゃりと閉じる演出が行われ・・・画面の左上隅位置では、演出図柄を縮小した状態で変動表示演出が実行されている（「１」−「変動中」−「変動中」）」との記載を参酌すると、図３５には、
液晶表示器４２の画面内には３本の演出図柄の列が「４」−「６」−「７」で停止していることが大きく表示されると共に、第４図柄Ｚ１，Ｚ２がはずれに対応する態様（白表示色）で停止表示され（図３５（Ａ））、液晶表示器４２の表示画面上で３本の図柄列がスクロール変動することで変動表示演出が開始されると共に、液晶表示器４２の画面下部では第４図柄Ｚ１がその表示色を変化させることで変動表示され（図３５（Ｂ））、第１特別図柄の変動中に表示画の両側から扉（襖）が出現し、中央でぴしゃりと閉じる演出が行われ、演出図柄が消え、代わりに、画面の左上隅位置では、演出図柄を縮小した状態で変動表示演出が実行されている（「１」−「変動中」−「変動中」）と共に、液晶表示器４２の画面下部では第４図柄Ｚ１がその表示色を変化させることで変動表示される（図３５（Ｃ））
　上記記載事項（ア）〜（ナ）及び上記図示内容（ニ）〜（ヌ）より、以下の事項が導かれる。
　なお、（ａ）〜（ｎ）は、本願発明の構成Ａ〜Ｎに対応した事項を示している。
（ａ）上記【００４１】には「遊技盤８・・・には遊技領域８ａ・・・が形成され」と記載されているから、引用文献１には、
遊技領域８ａが形成された遊技盤８
（ｂ）上記図１には「
遊技領域８ａ内の下方に設置されている右始動入賞口２６、可変始動入賞装置２８
（ｃ）上記【００７５】には「右始動入賞口スイッチ８０、左始動入賞口スイッチ８２・・・各始動入賞口スイッチ８０，８２は、右始動入賞口２６、可変始動入賞装置２８・・・への遊技球の入賞を検出する」と記載され、上記【０１３５】には「右始動入賞口スイッチ８０又は左始動入賞口スイッチ８２から入賞検出信号（ＯＮ）が入力されると、主制御ＣＰＵ７２は・・・第１特別図柄又は第２特別図柄に対応した内部抽選の契機（抽選契機）となる事象が発生したと判定する」と記載され、上記【０２２５】には「抽選用乱数（大当り決定乱数、大当り図柄乱数）・・・各乱数は、次の大当り判定処理で内部抽選に使用される」と記載され、上記【０２１０】には「特別図柄が・・・大当りの態様で停止表示されると、それまでの通常状態から大当り遊技状態（遊技者にとって有利な特別遊技状態）に移行する」と記載され、上記【０２２６】には「主制御ＣＰＵ７２は、大当り判定処理（内部抽選）を実行する」と記載されているから、引用文献１には、
右始動入賞口２６、可変始動入賞装置２８への遊技球の入賞を、右始動入賞口スイッチ８０、左始動入賞口スイッチ８２が検出し、入賞検出信号（ＯＮ）が入力されると、第１特別図柄又は第２特別図柄に対応した内部抽選の契機（抽選契機）となる事象が発生したと判定し、抽選用乱数（大当り決定乱数、大当り図柄乱数）を使用して、通常状態から大当り遊技状態（遊技者にとって有利な特別遊技状態）に移行する大当り判定処理（内部抽選）を実行する主制御ＣＰＵ７２
（ｄ）上記【０２１０】には「特別図柄が・・・大当りの態様で停止表示されると、・・・通常状態から大当り遊技状態（遊技者にとって有利な特別遊技状態）に移行する」と記載され、上記【０２３７】には「特別図柄（第１特別図柄及び第２特別図柄）」と記載され、上記【００５２】には「第１特別図柄表示装置３４及び第２特別図柄表示装置３５は・・・７セグメントＬＥＤ（ドット付き）により特別図柄の変動状態と停止状態とを表示する」と記載され、上記【０１４２】には「各ＬＥＤが・・・図柄の変動表示や停止表示・・・を行う態様・・・で駆動される」と記載されているから、引用文献１には、
大当りの態様で停止表示されると、通常状態から大当り遊技状態（遊技者にとって有利な特別遊技状態）に移行する特別図柄（第１特別図柄及び第２特別図柄）を、変動表示と停止表示を行う態様で７セグメントＬＥＤ（ドット付き）を駆動して表示する第１特別図柄表示装置３４及び第２特別図柄表示装置３５
（ｅ）上記【０２６１】には「第１特別図柄表示装置３４又は第２特別図柄表示装置３５による停止図柄（大当り図柄）」と記載され、上記【０２１０】には「特別図柄が・・・大当りの態様で停止表示されると、・・・通常状態から大当り遊技状態（遊技者にとって有利な特別遊技状態）に移行する」と記載され、上記【０２８５】には「主制御ＣＰＵ７２は・・・大当り遊技中・・・をセットする」と記載されているから、引用文献１には、
第１特別図柄表示装置３４又は第２特別図柄表示装置３５に特別図柄が大当りの態様で停止表示されると、通常状態から大当り遊技状態（遊技者にとって有利な特別遊技状態）に移行させる主制御ＣＰＵ７２
（ｆ）上記【０４１８】には「第１特別図柄（又は第２特別図柄）の変動開始に略同期して、液晶表示器４２の・・・左演出図柄、中演出図柄、右演出図柄の列が縦方向（・・・上から下）にスクロールするようにして変動表示演出が開始され」と記載され、上記【０２３３】には「内部抽選の結果、非当選に該当した場合、・・・「リーチ演出」を発生させてはずれとしたり、「リーチ演出」を発生させずにはずれとしたりする」と記載され、上記【０２５５】には「内部抽選の結果、・・・大当り（１５ラウンド通常大当り又は１５ラウンド確変大当り）に該当した場合、・・・「リーチ演出」を発生させて大当りとする制御を行う」と記載されているから、引用文献１には、
第１特別図柄又は第２特別図柄の変動開始に略同期して、左演出図柄、中演出図柄、右演出図柄の列が縦方向（上から下）にスクロールするようにして変動表示演出が開始され、内部抽選の結果、非当選に該当した場合、「リーチ演出」を発生させてはずれとしたり、「リーチ演出」を発生させずにはずれとしたりし、内部抽選の結果、大当り（１５ラウンド通常大当り又は１５ラウンド確変大当り）に該当した場合、「リーチ演出」を発生させて大当りとする表示を行う液晶表示器４２
（ｇ）上記【０２３３】には「内部抽選の結果、非当選に該当した場合、・・・「はずれ時変動パターン選択テーブル」には、・・・「非リーチ演出」、「リーチ演出」に対応した変動パターンが規定されており・・・その中からいずれかの変動パターンが選択される」と記載され、上記【０３８０】には「液晶表示器４２に表示される演出」と記載され、上記【０２３２】には「主制御ＣＰＵ７２は、はずれ時変動パターン決定処理を実行する」と記載され、上記【０２５５】には「内部抽選の結果、１５ラウンド大当り（１５ラウンド通常大当り又は１５ラウンド確変大当り）に該当した場合、・・・「１５ラウンド大当り当選時変動パターン選択テーブル」には、複数種類の「リーチ演出」に対応した変動パターンが規定されており、・・・その中からいずれかの変動パターンが選択される」と記載され、上記【０３８０】には「液晶表示器４２に表示される演出」と記載され、上記【０２５４】には「主制御ＣＰＵ７２は、大当り時変動パターン決定処理を実行する」と記載されているから、引用文献１には、
内部抽選の結果、非当選に該当した場合、液晶表示器４２に表示される「非リーチ演出」「リーチ演出」に対応した変動パターンが規定されている「はずれ時変動パターン選択テーブル」の中からいずれかの変動パターンを選択するはずれ時変動パターン決定処理を実行し、内部抽選の結果、１５ラウンド大当り（１５ラウンド通常大当り又は１５ラウンド確変大当り）に該当した場合、液晶表示器４２に表示される複数種類の「リーチ演出」に対応した変動パターンが規定されている「１５ラウンド大当り当選時変動パターン選択テーブル」の中からいずれかの変動パターンを選択する大当り時変動パターン決定処理を実行する主制御ＣＰＵ７２
（ｈ）上記【０４６４】には「変動パターン・・・応じてリーチ演出の内容を選択」と記載され、上記【０４５１】には「演出制御ＣＰＵ１２６は演出表示制御装置１４４・・・に対して・・・指示する・・・演出表示制御装置１４４・・・は指示された演出内容に基づいて液晶表示器４２による表示動作を制御する」と記載されているから、引用文献１には、
変動パターンに応じて液晶表示器４２による表示動作を制御する演出制御ＣＰＵ１２６
（ｉ、ｊ、ｌ）上記図３５には「液晶表示器４２の画面内には３本の演出図柄の列が「４」−「６」−「７」で停止していることが大きく表示されると共に、第４図柄Ｚ１，Ｚ２がはずれに対応する態様（白表示色）で停止表示され（図３５（Ａ））、液晶表示器４２の表示画面上で３本の図柄列がスクロール変動することで変動表示演出が開始されると共に、液晶表示器４２の画面下部では第４図柄Ｚ１がその表示色を変化させることで変動表示され（図３５（Ｂ））、第１特別図柄の変動中に表示画の両側から扉（襖）が出現し、中央でぴしゃりと閉じる演出が行われ、演出図柄が消え、代わりに、画面の左上隅位置では、演出図柄を縮小した状態で変動表示演出が実行されている（「１」−「変動中」−「変動中」）と共に、液晶表示器４２の画面下部では第４図柄Ｚ１がその表示色を変化させることで変動表示される（図３５（Ｃ））」ことが図示され、上記【０３８８】には「第１特別図柄の変動開始に同期して、液晶表示器４２の表示画面上で３本の図柄列がスクロール変動することで変動表示演出が開始され」との記載されているから、引用文献１には、
液晶表示器４２の画面内には３本の演出図柄の列が「４」−「６」−「７」で停止していることが大きく表示されると共に、第４図柄Ｚ１，Ｚ２がはずれに対応する態様（白表示色）で停止表示され（図３５（Ａ））、第１特別図柄の変動開始に同期して、液晶表示器４２の表示画面上で３本の演出図柄の列がスクロール変動することで変動表示演出が開始されると共に、液晶表示器４２の画面下部では第４図柄Ｚ１がその表示色を変化させることで変動表示され（図３５（Ｂ））、第１特別図柄の変動中に表示画の両側から扉（襖）が出現し、中央でぴしゃりと閉じる演出が行われ、演出図柄が消え、代わりに、画面の左上隅位置では、演出図柄を縮小した状態で変動表示演出が実行されている（「１」−「変動中」−「変動中」）と共に、液晶表示器４２の画面下部では第４図柄Ｚ１がその表示色を変化させることで変動表示される（図３５（Ｃ））
（ｋ）上記【０３８１】には「演出図柄は、・・・数字の「１」〜「９」とともにキャラクターが付された絵札をデザインしたものとなっている」と記載されているから、引用文献１には、
演出図柄は、数字の「１」〜「９」とともにキャラクターが付された絵札をデザインしたものとなっている
（ｍ）上記【０３９５】には「第１特別図柄の停止表示に同期して、最後の中演出図柄が停止する・・・はずれ・・・の・・・場合・・・このとき、第４図柄Ｚ１は、はずれに対応する態様（・・・白表示色）で停止表示され」と記載され、上記【０４３０】には「第１特別図柄又は第２特別図柄の確定停止表示に略同期して、演出図柄としての結果表示演出についても確定停止表示が行われ・・・また、この場合に第４図柄Ｚは、「１５ラウンド通常（非確変）大当り」に対応する態様（・・・青表示色）で停止表示される」と記載され、上記【０４３１】には「なお、ここでは「１５ラウンド通常大当り」の場合を例に挙げているが、内部抽選の結果が上記の「１５ラウンド確変大当り」であれば、・・・第４図柄Ｚは、「１５ラウンド確変大当り」に対応する態様（・・・緑表示色）で停止表示される」と記載されているから、引用文献１には、
第１特別図柄の停止表示に同期して、最後の中演出図柄が停止するとき、第４図柄Ｚ１は、はずれの場合、はずれに対応する態様（白表示色）で停止表示され、１５ラウンド大当りの場合、１５ラウンド大当りに対応する態様（青表示色、又は緑表示色）で停止表示される
（ｎ）上記【００３５】には「
パチンコ機１
　上記記載事項（ア）〜（ナ）、上記図示内容（ニ）〜（ヌ）及び上記（ａ）〜（ｎ）の認定事項から、引用文献１には、次の発明（以下、「引用発明１」という。）が記載されていると認められる（ａ〜ｎは、発明の構成を分説するため当審で付与した。）。
「ａ　遊技領域８ａが形成された遊技盤８と、
ｂ　遊技領域８ａ内の下方に設置されている右始動入賞口２６、可変始動入賞装置２８と、
ｃ　右始動入賞口２６、可変始動入賞装置２８への遊技球の入賞を、右始動入賞口スイッチ８０、左始動入賞口スイッチ８２が検出し、入賞検出信号（ＯＮ）が入力されると、第１特別図柄又は第２特別図柄に対応した内部抽選の契機（抽選契機）となる事象が発生したと判定し、抽選用乱数（大当り決定乱数、大当り図柄乱数）を使用して、通常状態から大当り遊技状態（遊技者にとって有利な特別遊技状態）に移行する大当り判定処理（内部抽選）を実行する主制御ＣＰＵ７２と、
ｄ　大当りの態様で停止表示されると、通常状態から大当り遊技状態（遊技者にとって有利な特別遊技状態）に移行する特別図柄（第１特別図柄及び第２特別図柄）を、変動表示と停止表示を行う態様で７セグメントＬＥＤ（ドット付き）を駆動して表示する第１特別図柄表示装置３４及び第２特別図柄表示装置３５と、
ｅ　第１特別図柄表示装置３４又は第２特別図柄表示装置３５に特別図柄が大当りの態様で停止表示されると、通常状態から大当り遊技状態（遊技者にとって有利な特別遊技状態）に移行させる主制御ＣＰＵ７２と、
ｆ　第１特別図柄又は第２特別図柄の変動開始に略同期して、左演出図柄、中演出図柄、右演出図柄の列が縦方向（上から下）にスクロールするようにして変動表示演出が開始され、内部抽選の結果、非当選に該当した場合、「リーチ演出」を発生させてはずれとしたり、「リーチ演出」を発生させずにはずれとしたりし、内部抽選の結果、大当り（１５ラウンド通常大当り又は１５ラウンド確変大当り）に該当した場合、「リーチ演出」を発生させて大当りとする表示を行う液晶表示器４２と、
ｇ　内部抽選の結果、非当選に該当した場合、液晶表示器４２に表示される「非リーチ演出」「リーチ演出」に対応した変動パターンが規定されている「はずれ時変動パターン選択テーブル」の中からいずれかの変動パターンを選択するはずれ時変動パターン決定処理を実行し、内部抽選の結果、１５ラウンド大当り（１５ラウンド通常大当り又は１５ラウンド確変大当り）に該当した場合、液晶表示器４２に表示される複数種類の「リーチ演出」に対応した変動パターンが規定されている「１５ラウンド大当り当選時変動パターン選択テーブル」の中からいずれかの変動パターンを選択する大当り時変動パターン決定処理を実行する主制御ＣＰＵ７２と、
ｈ　変動パターンに応じて液晶表示器４２による表示動作を制御する演出制御ＣＰＵ１２６と、を備え、
ｉ、ｊ、ｌ　液晶表示器４２の画面内には３本の演出図柄の列が「４」−「６」−「７」で停止していることが大きく表示されると共に、第４図柄Ｚ１，Ｚ２がはずれに対応する態様（白表示色）で停止表示され（図３５（Ａ））、第１特別図柄の変動開始に同期して、液晶表示器４２の表示画面上で３本の演出図柄の列がスクロール変動することで変動表示演出が開始されると共に、液晶表示器４２の画面下部では第４図柄Ｚ１がその表示色を変化させることで変動表示され（図３５（Ｂ））、第１特別図柄の変動中に表示画の両側から扉（襖）が出現し、中央でぴしゃりと閉じる演出が行われ、演出図柄が消え、代わりに、画面の左上隅位置では、演出図柄を縮小した状態で変動表示演出が実行されている（「１」−「変動中」−「変動中」）と共に、液晶表示器４２の画面下部では第４図柄Ｚ１がその表示色を変化させることで変動表示され（図３５（Ｃ））、
ｋ　演出図柄は、数字の「１」〜「９」とともにキャラクターが付された絵札をデザインしたものとなっており、
ｍ　第１特別図柄の停止表示に同期して、最後の中演出図柄が停止するとき、第４図柄Ｚ１は、はずれの場合、はずれに対応する態様（白表示色）で停止表示され、１５ラウンド大当りの場合、１５ラウンド大当りに対応する態様（青表示色、又は緑表示色）で停止表示される
ｎ　パチンコ機１。」
２　引用文献２
　当審における拒絶の理由（令和１年７月３０日付け拒絶理由通知書）に引用文献２として引用された本願の出願遡及日前に電気通信回線を通じて公衆に利用可能となった、“ＣＲ ぱちんこキン肉マン 夢の超人タッグ編”，
youtube，２０１４年　５月２３日，０分０６秒〜０分４１秒，［2018年4月2日検索］，ＵＲＬ，https://www.youtube.com/watch?v=jL7vB8HsjMI
（以下「引用文献２」という。）には、次の事項が記録されていると認定することができる。
（ア）
　９秒のタイミングで、表示装置中央の広い領域に、「６１６」の３桁の図柄（６は、数字部分とキャラクター部分を有する）が表示されている。
　また、この画像は、２０１４年５月２３日に電気通信回線を通じて公衆に利用可能となった「ＣＲぱちんこキン肉マン夢の超人タッグ編」というパチンコ機の機種のYouTubeの動画の画像である。 
（イ）
　１０秒のタイミングで、表示装置左下の狭い領域に、変動表示中の３桁の図柄が表示されている。 
（ウ）
　４０秒のタイミングで、表示装置中央の広い領域に、「６７６」の３桁の図柄（６、７は、数字部分とキャラクター部分を有する）が表示されるとともに、表示装置右下の狭い領域に、「６７６」の３桁の図柄が表示されている。 
　上記（ア）〜（ウ）に記録された内容から、引用文献２には、次の事項が開示されていると認められる。 
「表示装置中央の広い領域に、「６１６」の３桁の図柄（６は、数字部分とキャラクター部分を有する）や、「６７６」の３桁の図柄（６、７は、数字部分とキャラクター部分を有する）が表示され、 
　表示装置左下の狭い領域に、変動表示中の３桁の図柄が表示され、 
　表示装置右下の狭い領域に、「６７６」の３桁の図柄が表示される、
　「ＣＲぱちんこキン肉マン　夢の超人タッグ編」というパチンコ機。」（以下、「引用文献２に記載された事項」という。） 
３　引用文献３
　当審における拒絶の理由（令和１年７月３０日付け拒絶理由通知書）に引用文献３として引用された本願の出願遡及日前に頒布された特開２００６−１８１１８１号公報（以下「引用文献３」という。）には、図面とともに次の事項が記載されている。
（ア）「【０００５】
　本発明において、主制御基板は始動口に遊技球が進入したことに起因して主制御基板で当たり外れの判定（当否判定）を行い、またその当否判定の結果を変動表示後に確定表示される特別図柄で表示（特別図柄表示手段）するための制御を行う構成とする。そして、
主制御基板による当否判定が当たりであると
遊技者に有利な特別遊技を行う
（イ）「【００２７】
　図１に示すように、弾球遊技機の一種である
パチンコ機１
　図２に拡大して示すように、表示装置３は７セグメントＬＥＤの特別図柄表示器１１（特別図柄表示手段）、４個のＬＥＤからなる第２特別図柄保留表示器１２、液晶表示装置である第１疑似図柄表示器２３（第１疑似図柄表示手段）、第２疑似図柄表示器１３（第２疑似図柄表示手段）にて構成される。
【００２８】
　そして、
図１に示すように、
電動チューリップの始動口１４が設置されている
ゲート１５が設置されており、遊技球がゲート１５を通過した
　さらに、
遊技盤２の下部には
大入賞装置３２が設置されている
（ウ）「【００３３】
　
統合基板４６は
第１疑似図柄表示器１３及び第２疑似図柄表示器２３の表示を制御
【００３４】
　次に、パチンコ機１の動作を主制御装置４０及び統合基板４６が実行する制御処理に従って説明する。
　まず図４により変動パターン決定処理を説明する。この処理においては、
主制御装置４０は当否抽選・判定処理（Ｓ１２）を行う
【００３５】
　その処理は公知のパチンコ機における大当たり抽選処理と同様であり、
始動口１４への入賞が検出されると、
大当たり抽選用の乱数等（変動時間決定用乱数）を読み込んで（Ｓ１１）、
大当たり抽選用の乱数が当たり値のいずれかと一致すれば当たり
である
（エ）「【００４１】
　主制御装置４０がＳ１３で送信した
変動時間と抽選結果を受信し
第１疑似図柄表示部で表示するの変動パターンを決定し
抽選結果と
決定された第１疑似図柄の変動パターンに基づき、第２疑似図柄表示器で表示する変動パターンを決定する
【００４２】
　主制御装置４０及び統合基板４６が、それぞれ図４、図５、図６に示した変動パターン決定処理を行うことにより、図７に示す通りの変動表示が行われる。
　まず、
特別図柄
疑似図柄の変動表示が行われ
特別図柄（ｃ）
第１疑似図柄（ｂ）と第２疑似図柄（ａ）
【００４３】
　同一でない場合の変動表示演出において抽選結果が遊技者に認識されるタイミング（図柄仮確定表示）は、
演出の自由度が高い第２疑似図柄（ａ）
【００４４】
　図７の具体的な表示例を示すと、図８のようになる。
　始動口１４に遊技球が入球し、
特別図柄表示装置１１の特別図柄（ｃ）と第１疑似図柄表示器１３の第１疑似図柄（ｂ）と第２疑似図柄表示器２３第２疑似図柄（ａ）がほぼ同時に変動開始となる
この例では抽選は当たりである
【００４５】
　特別図柄表示装置１１、第１疑似図柄表示器１３、第２疑似図柄表示器２３とも変動表示が進行して、
第２疑似図柄表示器２３ではリーチ表示になる
　やがて
第２疑似図柄表示器２３では
仮確定表示
がされ
疑似図柄を仮停止状態で表示する場合、遊技者が当該変動が当たりとなることを認識でき
【００４６】
　
当否抽選が大当たりであったので第２疑似図柄表示器２３で
確定表示がなされるのと同時に、特別図柄表示装置１１と第１疑似図柄表示器１３も同時に大当たりを示す画像で確定表示される
　確定表示がなされると、その後大当たり遊技遊技が開始される。図９で示すように、第２疑似図柄表示器２３には大当たり遊技に関する情報（大当たりした図柄の表示３３３（４０）やラウンド数（４１）、カウント数（４２）等）が表示される。特別図柄表示装置１１，第１疑似図柄表示器１３は変動中でないことを示す大当たり遊技中用の表示を行う。
【００４７】
　なお、図１０に示すように、大当たり遊技中の大当たり遊技に関する情報（大当たりした図柄の表示３（４０）やラウンド数（４１）等の各種表示は第２疑似図柄表示器２３以外で行う構成としても良い。例えば、大当たりした図柄の表示である３の表示は特別図柄表示器１１で表示し、ラウンド数は第１疑似図柄表示器１３で表示する構成としても良い。このような構成とすることで、図１０に示すように第２疑似図柄表示器２３では、その画面全般をフルに活用してアニメーション表示４３や動画のムービー表示を行うことなどもできる。
［表示装置及び表示形態の変形例１］
・・・
【００４９】
　
表示部５０
第１疑似図柄表示器１３
と第２疑似図柄表示器２３
で構成されている
［表示装置及び表示形態の変形例２］」
（オ）図１
　上記【００２８】の「図１に示すように、・・・電動チューリップの始動口１４が設置されている・・・ゲート１５が設置されており、遊技球がゲート１５を通過した・・・遊技盤２の下部には・・・大入賞装置３２が設置されている」との記載を参酌すると、図１には、
電動チューリップの始動口１４、遊技球が通過するゲート１５、大入賞装置３２が設置された遊技盤２
（カ）図１１
　上記【００４４】の「第２疑似図柄表示器２３第２疑似図柄（ａ）」との記載、上記【００４２】の「疑似図柄の変動表示が行われ・・・第２疑似図柄（ａ）」との記載を参酌すると、図１１には、
第２疑似図柄表示器２３に表示される第２疑似図柄（ａ）は、図柄の種類を示す数字部分を有している
　また、上記【００４４】の「第１疑似図柄表示器１３の第１疑似図柄（ｂ）」との記載、上記【００４２】の「疑似図柄の変動表示が行われ・・・第１疑似図柄（ｂ）」との記載を参酌すると、図１１には、
第１疑似図柄表示器１３に表示される第１疑似図柄（ｂ）は、図柄の種類を示す数字部分を有する３桁の図柄で構成されている
　上記記載事項（ア）〜（エ）及び上記図示内容（オ）〜（カ）より、以下の事項が導かれる。
　なお、（ａ）〜（ｎ）は、本願発明の構成Ａ〜Ｎに対応した事項を示している。
（ａ、ｂ）上記図１には「
電動チューリップの始動口１４、遊技球が通過するゲート１５、大入賞装置３２が設置された遊技盤２
（ｃ）上記【００３５】には「始動口１４への入賞が検出されると、・・・大当たり抽選用の乱数等（変動時間決定用乱数）を読み込んで（Ｓ１１）、・・・大当たり抽選用の乱数が当たり値のいずれかと一致すれば当たり・・・である」と記載され、上記【０００５】には「主制御基板による当否判定が当たりであると・・・遊技者に有利な特別遊技を行う」と記載され、上記【００３４】には「主制御装置４０は当否抽選・判定処理（Ｓ１２）を行う」と記載されているから、引用文献３には、
始動口１４への入賞が検出されると、大当たり抽選用の乱数等（変動時間決定用乱数）を読み込み（Ｓ１１）、大当たり抽選用の乱数が当たり値のいずれかと一致すれば大当たりにし、遊技者に有利な特別遊技を行う主制御装置４０
（ｄ）上記【００４２】には「特別図柄・・・の変動表示が行われ・・・特別図柄（ｃ）」と記載され、上記【００４４】には「特別図柄表示装置１１の特別図柄（ｃ）」と記載され、上記【００４６】には「当否抽選が大当たりであったので・・・特別図柄表示装置１１・・・大当たりを示す画像で確定表示される」と記載されているから、引用文献３には、
特別図柄（ｃ）の変動表示が行われ、当否抽選が大当たりであると、大当たりを示す画像で確定表示される特別図柄表示装置１１
（ｅ）上記【００３５】には「大当たり抽選用の乱数が当たり値のいずれかと一致すれば当たり・・・である」と記載され、上記【００４６】には「当否抽選が大当たりであったので・・・特別図柄表示装置１１・・・大当たりを示す画像で確定表示される」と記載され、上記【０００５】には「主制御基板による当否判定が当たりであると・・・遊技者に有利な特別遊技を行う」と記載され、上記【００３４】には「主制御装置４０は当否抽選・判定処理（Ｓ１２）を行う」と記載されているから、引用文献３には、
大当たり抽選用の乱数が当たり値のいずれかと一致すれば大当たりにし、特別図柄表示装置１１に大当たりを示す画像が確定表示され、遊技者に有利な特別遊技を行う主制御装置４０
（ｆ）上記【００４１】には「変動時間と抽選結果を受信し・・・第１疑似図柄表示部で表示するの変動パターンを決定し」と記載され、上記【００４２】には「疑似図柄の変動表示が行われ・・・第１疑似図柄（ｂ）」と記載され、上記【００４４】には「第１疑似図柄表示器１３の第１疑似図柄（ｂ）」と記載され、上記【００４１】には「抽選結果と・・・決定された第１疑似図柄の変動パターンに基づき、第２疑似図柄表示器で表示する変動パターンを決定する」と記載され、上記【００４３】には「演出の自由度が高い第２疑似図柄（ａ）」と記載され、上記【００４２】には「疑似図柄の変動表示が行われ・・・第２疑似図柄（ａ）」と記載され、上記【００４４】には「第２疑似図柄表示器２３第２疑似図柄（ａ）」と記載され、上記【００４９】には「表示部５０・・・第１疑似図柄表示器１３・・・と第２疑似図柄表示器２３・・・で構成されている」と記載されているから、引用文献３には、
変動時間と抽選結果を受信し、決定した変動パターンの第１疑似図柄（ｂ）の変動表示を行う第１疑似図柄表示器１３と、抽選結果と決定された第１疑似図柄（ｂ）の変動パターンに基づき決定した変動パターンの演出の自由度が高い第２疑似図柄（ａ）の変動表示を行う第２疑似図柄表示器２３と、で構成される表示部５０
（ｇ）上記【００４１】には「変動時間と抽選結果を受信し・・・第１疑似図柄表示部で表示するの変動パターンを決定し」と記載され、上記【００４４】には「第１疑似図柄表示器１３の第１疑似図柄（ｂ）」と記載され、上記【００４１】には「抽選結果と・・・決定された第１疑似図柄の変動パターンに基づき、第２疑似図柄表示器で表示する変動パターンを決定する」と記載され、上記【００４４】には「第２疑似図柄表示器２３第２疑似図柄（ａ）が・・・変動開始となる」と記載され、上記【００４３】には「演出の自由度が高い第２疑似図柄（ａ）」と記載され、上記【００４５】には「第２疑似図柄表示器２３ではリーチ表示になる・・・第２疑似図柄表示器２３では・・・仮確定表示・・・がされ」と記載され、上記【００４６】には「第２疑似図柄表示器２３で・・・確定表示がなされる」と記載され、上記【００３３】には「統合基板４６は・・・第１疑似図柄表示器１３及び第２疑似図柄表示器２３の表示を制御」と記載されているから、引用文献３には、
変動時間と抽選結果を受信し、第１疑似図柄表示部１３で表示する第１疑似図柄（ｂ）の変動パターンを決定し、抽選結果と決定された第１疑似図柄（ｂ）の変動パターンに基づき、第２疑似図柄表示器２３で表示する演出の自由度が高い第２疑似図柄（ａ）の、変動開始となり、リーチ表示になり、仮確定表示がされ、確定表示がなされる、変動パターンを決定する統合基板４６
（ｈ）上記【００４４】には「第２疑似図柄表示器２３第２疑似図柄（ａ）」と記載され、上記【００４１】には「第２疑似図柄表示器で表示する変動パターンを決定する」と記載され、上記【００４４】には「第１疑似図柄表示器１３の第１疑似図柄（ｂ）」と記載され、上記【００４１】には「第１疑似図柄表示部で表示するの変動パターンを決定し」と記載され、上記【００３３】には「統合基板４６は・・・第１疑似図柄表示器１３及び第２疑似図柄表示器２３の表示を制御」と記載されているから、引用文献３には、
第２疑似図柄（ａ）を決定した変動パターンで第２疑似図柄表示器２３に表示し、第１疑似図柄（ｂ）を決定した変動パターンで第１疑似図柄表示器１３に表示するように制御する統合基板４６
（ｉ）上記【００４９】には「表示部５０・・・第１疑似図柄表示器１３・・・と第２疑似図柄表示器２３・・・で構成されている」と記載され、上記【００４２】には「疑似図柄の変動表示が行われ・・・第１疑似図柄（ｂ）と第２疑似図柄（ａ）」と記載され、上記【００４４】には「第１疑似図柄表示器１３の第１疑似図柄（ｂ）と第２疑似図柄表示器２３第２疑似図柄（ａ）」と記載されているから、引用文献３には、
表示部５０は、第２疑似図柄表示器２３で第２疑似図柄（ａ）の変動表示を行い、第１疑似図柄表示器１３で第１疑似図柄（ｂ）の変動表示を行う
（ｊ）上記【００４４】には「第１疑似図柄表示器１３の第１疑似図柄（ｂ）と第２疑似図柄表示器２３第２疑似図柄（ａ）がほぼ同時に変動開始となる」と記載され、上記【００４６】には「第２疑似図柄表示器２３で・・・確定表示がなされるのと同時に、第１疑似図柄表示器１３も・・・確定表示される」と記載されているから、引用文献３には、
第２疑似図柄表示器２３の第２疑似図柄（ａ）と第１疑似図柄表示器１３の第１疑似図柄（ｂ）がほぼ同時に変動開始となり、第２疑似図柄表示器２３で確定表示がなされるのと同時に、第１疑似図柄表示器１３も確定表示される
（ｋ）上記図１１には「
第２疑似図柄表示器２３に表示される第２疑似図柄（ａ）は、図柄の種類を示す数字部分を有している
（ｍ）上記図１１には「第１疑似図柄表示器１３に表示される第１疑似図柄（ｂ）は、図柄の種類を示す数字部分を有する３桁の図柄で構成されている」ことが図示され、上記【００４４】には「特別図柄表示装置１１の特別図柄（ｃ）と第１疑似図柄表示器１３の第１疑似図柄（ｂ）・・・がほぼ同時に変動開始となる・・・この例では抽選は当たりである」と記載され、上記【００４５】には「疑似図柄を仮停止状態で表示する場合、遊技者が当該変動が当たりとなることを認識でき」と記載され、上記【００４６】には「当否抽選が大当たりであったので・・・特別図柄表示装置１１と第１疑似図柄表示器１３も同時に大当たりを示す画像で確定表示される」と記載されているから、引用文献３には、
第１疑似図柄表示器１３に表示される第１疑似図柄（ｂ）は、図柄の種類を示す数字部分を有する３桁の図柄で構成され、特別図柄表示装置１１の特別図柄（ｃ）と第１疑似図柄表示器１３の第１疑似図柄（ｂ）がほぼ同時に変動開始し、抽選が大当たりであると、第１疑似図柄（ｂ）を仮停止状態で表示する場合、遊技者が当該変動が当たりとなることを認識でき、特別図柄表示装置１１と第１疑似図柄表示器１３が同時に大当たりを示す画像で確定表示される
（ｎ）上記【００２７】には「
パチンコ機１
　上記記載事項（ア）〜（エ）、上記図示内容（オ）〜（カ）及び上記（ａ）〜（ｎ）の認定事項から、引用文献３には、次の発明（以下、「引用発明３」という。）が記載されていると認められる（ａ〜ｎは、発明の構成を分説するため当審で付与した。）。
「ａ、ｂ　電動チューリップの始動口１４、遊技球が通過するゲート１５、大入賞装置３２が設置された遊技盤２と、
ｃ　始動口１４への入賞が検出されると、大当たり抽選用の乱数等（変動時間決定用乱数）を読み込み（Ｓ１１）、大当たり抽選用の乱数が当たり値のいずれかと一致すれば大当たりにし、遊技者に有利な特別遊技を行う主制御装置４０と、
ｄ　特別図柄（ｃ）の変動表示が行われ、当否抽選が大当たりであると、大当たりを示す画像で確定表示される特別図柄表示装置１１と、
ｅ　大当たり抽選用の乱数が当たり値のいずれかと一致すれば大当たりにし、特別図柄表示装置１１に大当たりを示す画像が確定表示され、遊技者に有利な特別遊技を行う主制御装置４０と、
ｆ　変動時間と抽選結果を受信し、決定した変動パターンの第１疑似図柄（ｂ）の変動表示を行う第１疑似図柄表示器１３と、抽選結果と決定された第１疑似図柄（ｂ）の変動パターンに基づき決定した変動パターンの演出の自由度が高い第２疑似図柄（ａ）の変動表示を行う第２疑似図柄表示器２３と、で構成される表示部５０と、
ｇ　変動時間と抽選結果を受信し、第１疑似図柄表示部１３で表示する第１疑似図柄（ｂ）の変動パターンを決定し、抽選結果と決定された第１疑似図柄（ｂ）の変動パターンに基づき、第２疑似図柄表示器２３で表示する演出の自由度が高い第２疑似図柄（ａ）の、変動開始となり、リーチ表示になり、仮確定表示がされ、確定表示がなされる、変動パターンを決定する統合基板４６と、
ｈ　第２疑似図柄（ａ）を決定した変動パターンで第２疑似図柄表示器２３に表示し、第１疑似図柄（ｂ）を決定した変動パターンで第１疑似図柄表示器１３に表示するように制御する統合基板４６と、を備え、
ｉ　表示部５０は、第２疑似図柄表示器２３で第２疑似図柄（ａ）の変動表示を行い、第１疑似図柄表示器１３で第１疑似図柄（ｂ）の変動表示を行い、
ｊ　第２疑似図柄表示器２３の第２疑似図柄（ａ）と第１疑似図柄表示器１３の第１疑似図柄（ｂ）がほぼ同時に変動開始となり、第２疑似図柄表示器２３で確定表示がなされるのと同時に、第１疑似図柄表示器１３も確定表示され、
ｋ　第２疑似図柄表示器２３に表示される第２疑似図柄（ａ）は、図柄の種類を示す数字部分を有し、
ｍ　第１疑似図柄表示器１３に表示される第１疑似図柄（ｂ）は、図柄の種類を示す数字部分を有する３桁の図柄で構成され、特別図柄表示装置１１の特別図柄（ｃ）と第１疑似図柄表示器１３の第１疑似図柄（ｂ）がほぼ同時に変動開始し、抽選が大当たりであると、第１疑似図柄（ｂ）を仮停止状態で表示する場合、遊技者が当該変動が当たりとなることを認識でき、特別図柄表示装置１１と第１疑似図柄表示器１３が同時に大当たりを示す画像で確定表示される
ｎ　パチンコ機１。」
第５　理由１−１（進歩性）について
１　対比、判断
　本願発明と引用発明１とを対比する。
（ａ）引用発明１の「遊技領域８ａが形成された遊技盤８」は、本願発明の「遊技領域が形成された遊技盤」に相当する。 
（ｂ）引用発明１の「右始動入賞口２６」及び「可変始動入賞装置２８」は、本願発明の「始動入賞口」に相当する。
　したがって、引用発明１の「遊技領域８ａ内の下方に設置されている右始動入賞口２６、可変始動入賞装置２８」は、
　本願発明の「前記遊技領域の所定位置に設けられる始動入賞口」に相当する。
（ｃ）引用発明１の「抽選用乱数（大当り決定乱数、大当り図柄乱数）」、「通常状態」、「大当り遊技状態（遊技者にとって有利な特別遊技状態）」、「大当り判定処理（内部抽選）」、「主制御ＣＰＵ７２」は、それぞれ、本願発明の「抽選値」、「通常遊技」、「遊技者に有利な状態である特別遊技」、「当否判定」、「当否判定手段」に相当する。
　また、引用発明１は、「右始動入賞口２６、可変始動入賞装置２８への遊技球の入賞を、右始動入賞口スイッチ８０、左始動入賞口スイッチ８２が検出」すると、「内部抽選の契機（抽選契機）となる事象が発生したと判定し、抽選用乱数（大当り決定乱数、大当り図柄乱数）を使用して」、「大当り判定処理（内部抽選）を実行する」ものであるから、「抽選用乱数（大当り決定乱数、大当り図柄乱数）」（抽選値）は、「右始動入賞口２６、可変始動入賞装置２８」（始動入賞口）「への遊技球の入賞を」契機として取得されているといえる。
　したがって、引用発明１の「右始動入賞口２６、可変始動入賞装置２８への遊技球の入賞を、右始動入賞口スイッチ８０、左始動入賞口スイッチ８２が検出し、入賞検出信号（ＯＮ）が入力されると、第１特別図柄又は第２特別図柄に対応した内部抽選の契機（抽選契機）となる事象が発生したと判定し、抽選用乱数（大当り決定乱数、大当り図柄乱数）を使用して、通常状態から大当り遊技状態（遊技者にとって有利な特別遊技状態）に移行する大当り判定処理（内部抽選）を実行する主制御ＣＰＵ７２」は、
　本願発明の「前記始動入賞口への入球を契機として取得される抽選値に基づいて、通常遊技より遊技者に有利な状態である特別遊技へ移行するか否かを判定するための当否判定を実行する当否判定手段」に相当する。　
（ｄ）引用発明１の「特別図柄（第１特別図柄及び第２特別図柄）」、「第１特別図柄表示装置３４及び第２特別図柄表示装置３５」は、それぞれ、本願発明の「特別図柄」、「特別図柄表示装置」に相当する。
　したがって、引用発明１の「大当りの態様で停止表示されると、通常状態から大当り遊技状態（遊技者にとって有利な特別遊技状態）に移行する特別図柄（第１特別図柄及び第２特別図柄）を、変動表示と停止表示を行う態様で７セグメントＬＥＤ（ドット付き）を駆動して表示する第１特別図柄表示装置３４及び第２特別図柄表示装置３５」は、
　本願発明の「前記当否判定の結果を示すための特別図柄が変動表示される特別図柄表示装置」に相当する。
（ｅ）引用発明１の「主制御ＣＰＵ７２」は、本願発明の「特別遊技制御手段」に相当する。
　したがって、引用発明１の「第１特別図柄表示装置３４又は第２特別図柄表示装置３５に特別図柄が大当りの態様で停止表示されると、通常状態から大当り遊技状態（遊技者にとって有利な特別遊技状態）に移行させる主制御ＣＰＵ７２」は、
　本願発明の「前記当否判定が前記特別遊技へ移行させる結果となったことを示す特別図柄が前記特別図柄表示装置に停止表示された場合に前記特別遊技を実行する特別遊技制御手段」に相当する。
（ｆ）引用発明１の「液晶表示器４２」は、本願発明の「演出表示装置」に相当する。
　また、引用発明１は、「「リーチ演出」を発生させてはずれとしたり」、「「リーチ演出」を発生させて大当りと」したりするから、当否判定の結果に基づいて演出的な内容が表示されるといえる。
　したがって、引用発明１の「第１特別図柄又は第２特別図柄の変動開始に略同期して、左演出図柄、中演出図柄、右演出図柄の列が縦方向（上から下）にスクロールするようにして変動表示演出が開始され、内部抽選の結果、非当選に該当した場合、「リーチ演出」を発生させてはずれとしたり、「リーチ演出」を発生させずにはずれとしたりし、内部抽選の結果、大当り（１５ラウンド通常大当り又は１５ラウンド確変大当り）に該当した場合、「リーチ演出」を発生させて大当りとする表示を行う液晶表示器４２」は、
　本願発明の「前記当否判定の結果に基づいて演出的な内容が表示される演出表示装置」に相当する。
（ｇ）引用発明１の「「はずれ時変動パターン選択テーブル」」に「規定されている」「「非リーチ演出」「リーチ演出」に対応した変動パターン」、及び「「１５ラウンド大当り当選時変動パターン選択テーブル」」に「規定されている」「「リーチ演出」に対応した変動パターン」に基づく「非リーチ演出」「リーチ演出」では、引用発明１の特定事項（ｉ、ｊ、ｌ）である「第１特別図柄の変動開始に同期して、液晶表示器４２の表示画面上で３本の演出図柄の列がスクロール変動することで変動表示演出が開始されると共に、液晶表示器４２の画面下部では第４図柄Ｚ１がその表示色を変化させることで変動表示され（図３５（Ｂ））、第１特別図柄の変動中に表示画の両側から扉（襖）が出現し、中央でぴしゃりと閉じる演出が行われ、演出図柄が消え、代わりに、画面の左上隅位置では、演出図柄を縮小した状態で変動表示演出が実行されている（「１」−「変動中」−「変動中」）と共に、液晶表示器４２の画面下部では第４図柄Ｚ１がその表示色を変化させることで変動表示され（図３５（Ｃ））」ると共に、引用発明１の特定事項（ｍ）である「第１特別図柄の停止表示に同期して、最後の中演出図柄が停止するとき、第４図柄Ｚ１は、はずれに対応する態様（白表示色）で停止表示され、１５ラウンド大当りの場合、第４図柄Ｚは、１５ラウンド大当りに対応する態様（青表示色、又は緑表示色）で停止表示される」。
　また、引用発明１の「演出図柄」、「画面の左上隅位置で」の「縮小した状態」の「演出図柄」、「第４図柄Ｚ１」は、本願発明の「演出図柄」に相当すると共に、引用発明１の「演出図柄」、「画面の左上隅位置で」の「縮小した状態」の「演出図柄」、「第４図柄Ｚ１」（演出図柄）は、上記特定事項（ｉ、ｊ、ｌ）及び上記特定事項（ｍ）に記載されているように、それぞれ、変動表示過程が定められているといえる。
　これらのことから、引用発明１の「「はずれ時変動パターン選択テーブル」」に「規定されている」「「非リーチ演出」「リーチ演出」に対応した変動パターン」、及び「「１５ラウンド大当り当選時変動パターン選択テーブル」」に「規定されている」「「リーチ演出」に対応した変動パターン」は、本願発明の「前記当否判定の結果を前記演出表示装置にて演出的に示す演出図柄の変動表示過程が定められた複数種の変動演出パターン」に相当する。
　そして、引用発明１の「主制御ＣＰＵ７２」は、本願発明の「演出決定手段」に相当する。
　したがって、引用発明１の「内部抽選の結果、非当選に該当した場合、液晶表示器４２に表示される「非リーチ演出」「リーチ演出」に対応した変動パターンが規定されている「はずれ時変動パターン選択テーブル」の中からいずれかの変動パターンを選択するはずれ時変動パターン決定処理を実行し、内部抽選の結果、１５ラウンド大当り（１５ラウンド通常大当り又は１５ラウンド確変大当り）に該当した場合、液晶表示器４２に表示される複数種類の「リーチ演出」に対応した変動パターンが規定されている「１５ラウンド大当り当選時変動パターン選択テーブル」の中からいずれかの変動パターンを選択する大当り時変動パターン決定処理を実行する主制御ＣＰＵ７２」は、
　本願発明の「前記当否判定の結果を前記演出表示装置にて演出的に示す演出図柄の変動表示過程が定められた複数種の変動演出パターンからいずれかを決定する演出決定手段」に相当する。
（ｈ）引用発明１の「変動パターン」においては、上記（ｇ）において既に検討したように、「演出図柄」、「画面の左上隅位置で」の「縮小した状態」の「演出図柄」、「第４図柄Ｚ１」（演出図柄）が、「液晶表示器４２」（演出表示装置）に表示される。
　また、引用発明１の「演出制御ＣＰＵ１２６」は、本願発明の「演出表示制御手段」に相当する。
　したがって、引用発明１の「変動パターンに応じて液晶表示器４２による表示動作を制御する演出制御ＣＰＵ１２６」は、
　本願発明の「前記演出図柄を前記変動演出パターンにしたがって前記演出表示装置に表示させる演出表示制御手段」に相当する。
（ｉ、ｊ）引用発明１の「演出図柄」、「画面の左上隅位置で」の「縮小した状態」の「演出図柄」、「第４図柄Ｚ１、Ｚ２」は、それぞれ、本願発明の「装飾図柄」、「代替図柄」、「簡易図柄」に相当する。
　また、引用発明１の「液晶表示器４２の表示画面上で３本の図柄列がスクロール変動することで変動表示演出が開始されると共に、液晶表示器４２の画面下部では第４図柄Ｚ１がその表示色を変化させることで変動表示され（図３５（Ｂ））」ている状態、「演出図柄が消え、代わりに、画面の左上隅位置では、演出図柄を縮小した状態で変動表示演出が実行されている（「１」−「変動中」−「変動中」）と共に、液晶表示器４２の画面下部では第４図柄Ｚ１がその表示色を変化させることで変動表示され（図３５（Ｃ））」ている状態は、それぞれ、本願発明の「前記装飾図柄および前記簡易図柄が同時に変動表示される場合」、「前記代替図柄および前記簡易図柄が同時に変動表示される場合」に相当する。
　しかしながら、引用発明１では、「第４図柄Ｚ１、Ｚ２」（簡易図柄）のみが変動表示される場合があるかについては、記載されていない。
　したがって、引用発明１の特定事項ｉ、ｊ、ｌの「液晶表示器４２の画面内には３本の演出図柄の列が「４」−「６」−「７」で停止していることが大きく表示されると共に、第４図柄Ｚ１，Ｚ２がはずれに対応する態様（白表示色）で停止表示され（図３５（Ａ））、第１特別図柄の変動開始に同期して、液晶表示器４２の表示画面上で３本の図柄列がスクロール変動することで変動表示演出が開始されると共に、液晶表示器４２の画面下部では第４図柄Ｚ１がその表示色を変化させることで変動表示され（図３５（Ｂ））、第１特別図柄の変動中に表示画の両側から扉（襖）が出現し、中央でぴしゃりと閉じる演出が行われ、演出図柄が消え、代わりに、画面の左上隅位置では、演出図柄を縮小した状態で変動表示演出が実行されている（「１」−「変動中」−「変動中」）と共に、液晶表示器４２の画面下部では第４図柄Ｚ１がその表示色を変化させることで変動表示され（図３５（Ｃ））」は、
　本願発明の特定事項ｉの「前記演出表示装置に表示される前記演出図柄の変動表示として、装飾図柄の変動表示と、代替図柄の変動表示と、簡易図柄の変動表示と、があり」に相当する特定事項を有していると共に、
　本願発明の特定事項ｊと「前記演出図柄の変動表示として、前記装飾図柄および前記簡易図柄が同時に変動表示される場合と、前記代替図柄および前記簡易図柄が同時に変動表示される場合と」「があ」る点で共通している。
（ｋ）引用発明１の「数字の「１」〜「９」」、「キャラクターが付された絵札をデザインした」部分は、それぞれ、本願発明の「図柄種類を示す部分」、「付帯して表示される付帯部分」に相当する。
　したがって、引用発明１の「演出図柄は、数字の「１」〜「９」とともにキャラクターが付された絵札をデザインしたものとなって」いることは、
　本願発明の「前記装飾図柄は、図柄種類を示す部分と付帯して表示される付帯部分とを有」していることに相当する。
（ｌ）引用発明１の「画面の左上隅位置で」の「縮小した状態」の「演出図柄」は、「「１」−「変動中」−「変動中」」（図３５（Ｃ））という外観で表示されるから、本願発明の「前記簡易図柄は、前記装飾図柄の図柄種類を示す部分に対応した外観上の表示形態を有する複数の図柄で構成され」ることに相当する特定事項を有している。
　したがって、引用発明１の特定事項ｉ、ｊ、ｌの「液晶表示器４２の画面内には３本の演出図柄の列が「４」−「６」−「７」で停止していることが大きく表示されると共に、第４図柄Ｚ１，Ｚ２がはずれに対応する態様（白表示色）で停止表示され（図３５（Ａ））、第１特別図柄の変動開始に同期して、液晶表示器４２の表示画面上で３本の図柄列がスクロール変動することで変動表示演出が開始されると共に、液晶表示器４２の画面下部では第４図柄Ｚ１がその表示色を変化させることで変動表示され（図３５（Ｂ））、第１特別図柄の変動中に表示画の両側から扉（襖）が出現し、中央でぴしゃりと閉じる演出が行われ、演出図柄が消え、代わりに、画面の左上隅位置では、演出図柄を縮小した状態で変動表示演出が実行されている（「１」−「変動中」−「変動中」）と共に、液晶表示器４２の画面下部では第４図柄Ｚ１がその表示色を変化させることで変動表示され（図３５（Ｃ））」ることは、
　本願発明の特定事項ｌの「前記代替図柄は、前記装飾図柄の図柄種類を示す部分に対応した外観上の表示形態を有し、前記装飾図柄を非表示とする場合に前記装飾図柄が変動表示される領域よりも狭い領域内において前記装飾図柄の代わりに変動表示され」ることに相当する特定事項を有している。
（ｍ）引用発明１の特定事項ｉ、ｊ、ｌには「第１特別図柄の変動開始に同期して・・・第４図柄Ｚ１がその表示色を変化させることで変動表示され（図３５（Ｂ））、第１特別図柄の変動中に・・・第４図柄Ｚ１がその表示色を変化させることで変動表示され（図３５（Ｃ））」と記載されていると共に、引用発明１には「第１特別図柄の停止表示に同期して・・・第４図柄Ｚ１は、はずれの場合、はずれに対応する態様（白表示色）で停止表示され」と記載されているから、引用発明１の「第４図柄Ｚ１」（簡易図柄）は、特別図柄の変動表示中に常時変動表示されるといえると共に、特別図柄の変動表示中に常時変動表示されることにより特別図柄が変動表示中であることを示唆しているといえる。
　また、引用発明１の「第４図柄Ｚ１」（簡易図柄）は、「はずれの場合、はずれに対応する態様（白表示色）で停止表示され、１５ラウンド大当りの場合、第４図柄Ｚは、１５ラウンド大当りに対応する態様（青表示色、又は緑表示色）で停止表示される」から、図柄が停止されることにより当否判定の結果を示唆しているといえる。
　しかしながら、引用発明１の「第４図柄Ｚ１、Ｚ２」（簡易図柄）は、複数の図柄で構成されていない。
　したがって、引用発明１の「第１特別図柄の停止表示に同期して、最後の中演出図柄が停止するとき、第４図柄Ｚ１は、はずれの場合、はずれに対応する態様（白表示色）で停止表示され、１５ラウンド大当りの場合、１５ラウンド大当りに対応する態様（青表示色、又は緑表示色）で停止表示される」ことは、
　本願発明と「前記簡易図柄は、」「前記特別図柄の変動表示中に常時変動表示されることにより前記特別図柄が変動表示中であることを示唆」する点で共通している。
（ｎ）引用発明１の「パチンコ機１」は、本願発明の「弾球遊技機」に相当する。
　上記（ａ）〜（ｎ）から、本願発明と引用発明１とは、
［一致点］
「Ａ　遊技領域が形成された遊技盤と、
Ｂ　前記遊技領域の所定位置に設けられる始動入賞口と、
Ｃ　前記始動入賞口への入球を契機として取得される抽選値に基づいて、通常遊技より遊技者に有利な状態である特別遊技へ移行するか否かを判定するための当否判定を実行する当否判定手段と、
Ｄ　前記当否判定の結果を示すための特別図柄が変動表示される特別図柄表示装置と、
Ｅ　前記当否判定が前記特別遊技へ移行させる結果となったことを示す特別図柄が前記特別図柄表示装置に停止表示された場合に前記特別遊技を実行する特別遊技制御手段と、
Ｆ　前記当否判定の結果に基づいて演出的な内容が表示される演出表示装置と、
Ｇ　前記当否判定の結果を前記演出表示装置にて演出的に示す演出図柄の変動表示過程が定められた複数種の変動演出パターンからいずれかを決定する演出決定手段と、
Ｈ　前記演出図柄を前記変動演出パターンにしたがって前記演出表示装置に表示させる演出表示制御手段と、を備え、
Ｉ　前記演出表示装置に表示される前記演出図柄の変動表示として、装飾図柄の変動表示と、代替図柄の変動表示と、簡易図柄の変動表示と、があり、
Ｊ’　前記演出図柄の変動表示として、前記装飾図柄および前記簡易図柄が同時に変動表示される場合と、前記代替図柄および前記簡易図柄が同時に変動表示される場合とがあり、
Ｋ　前記装飾図柄は、図柄種類を示す部分と付帯して表示される付帯部分とを有し、
Ｌ　前記代替図柄は、前記装飾図柄の図柄種類を示す部分に対応した外観上の表示形態を有し、前記装飾図柄を非表示とする場合に前記装飾図柄が変動表示される領域よりも狭い領域内において前記装飾図柄の代わりに変動表示され、
Ｍ’　前記簡易図柄は、前記特別図柄の変動表示中に常時変動表示されることにより前記特別図柄が変動表示中であることを示唆する
Ｎ　弾球遊技機。」
 である点で一致し、以下の点で相違する。  
  
［相違点１］（特定事項Ｊ）  
　「前記装飾図柄および前記簡易図柄が同時に変動表示される場合と、前記代替図柄および前記簡易図柄が同時に変動表示される場合と」「があ」る「前記演出図柄の変動表示」に関して、
　本願発明は「前記装飾図柄および前記代替図柄を非表示にして前記簡易図柄が変動表示される場合」「があ」るのに対して、
　引用発明１は、「第４図柄Ｚ１、Ｚ２」（簡易図柄）のみが変動表示される場合があるかについては、引用発明１に記載されていないため、そのような特定事項でない点。
  
［相違点２］（特定事項Ｍ） 
　「前記特別図柄の変動表示中に常時変動表示されることにより前記特別図柄が変動表示中であることを示唆」する「前記簡易図柄」に関して、
　本願発明は「前記装飾図柄の図柄種類を示す部分に対応した外観上の表示形態を有する複数の図柄で構成され、」「その複数の図柄のすべてが停止表示されることにより前記当否判定の結果を示唆する」のに対して、
　引用発明１は、「第４図柄Ｚ１、Ｚ２」（簡易図柄）が、複数の図柄で構成されていないため、そのような構成でない点。 
  
以下、上記相違点について検討する。  
  
（１）相違点１について 
　演出図柄の変動表示として、簡易図柄のみが変動表示される場合があるようにすることは、特開２０１３−１７９９５８号公報（以下「引用文献４」という。左演出図柄に続いて、その後に右演出図柄が停止表示され、「５」−「変動中」−「５」のリーチ状態が発生すると共に［【０４６０】、図３５（Ｇ）］、液晶表示器４２の画面下部では第４図柄Ｚ１が変動表示されており［図３５（Ｇ）、【０４５４】］、リーチ状態が発生してしばらくすると、液晶表示器４２の中央部分まで可動体４０ｇが完全に落下する演出が実行され（役物落下演出）、合わせて背景画像として稲妻又は爆発が発生した様子を示す画像が表示されると共に［【０４６１】、図３５（Ｈ）］、演出図柄は消えるが、第４図柄Ｚ１は変動表示されており［図３５（Ｈ）］、これ以降はストーリーリーチ演出に発展し、画面の左上隅位置では、演出図柄を縮小した状態で変動表示演出が実行されると共に（「５」−「変動中」−「５」）［【０４６２】、図３５（Ｉ）］、第４図柄Ｚ１が変動表示されている［図３５（Ｈ）］、パチンコ機１［【００４０】］が記載されている。）、特開２０１５−５８０４２号公報（以下「引用文献５」という。大当り遊技中に遊技球が確変領域を通過した場合に移行される飛行ラッシュにおいて［【０５５２】、図５４〜５５］、第４図柄Ｚ１，Ｚ２だけを用いて演出図柄の変動表示及び停止表示を表現する［【０５５４】、図５４〜５５］パチンコ機１［【００４７】］が記載されている。）に記載されているように周知（以下、「周知技術」という。）である。
　また、演出図柄の変動表示として、どのような何種類の演出図柄が変動表示される場合を設けるかは、設計的事項にすぎない。
　引用発明１の「遊技機１」に上記周知技術を適用して、引用発明１の「演出図柄」（装飾図柄）、「画面の左上隅位置で」の「縮小した状態」の「演出図柄」（代替図柄）を非表示にして、「第４図柄Ｚ１、Ｚ２」（簡易図柄）が変動表示される場合があるようにして、上記相違点１に係る本願発明の構成とすることは、当業者が容易になし得たことである。 
　
（２）相違点２について
 　上記第４「２　引用文献２」において検討したように、引用文献２には、次の引用文献２に記載された事項が記載されている。 
「表示装置中央の広い領域に、「６１６」の３桁の図柄（６は、数字部分とキャラクター部分を有する）や、「６７６」の３桁の図柄（６、７は、数字部分とキャラクター部分を有する）が表示され、 
　表示装置左下の狭い領域に、変動表示中の３桁の図柄が表示され、 
　表示装置右下の狭い領域に、「６７６」の３桁の図柄が表示される、
　「ＣＲぱちんこキン肉マン　夢の超人タッグ編」というパチンコ機。」
　引用文献２に記載された事項は、３つの３桁の図柄を表示するパチンコ機であると共に、「表示装置左下の狭い領域に表示される３桁の図柄」、又は「表示装置右下の狭い領域に表示される３桁の図柄」は、「表示装置中央の広い領域に表示される３桁の図柄」よりも狭い領域に表示されているから、本願発明の「代替図柄」又は「簡易図柄」に相当するといえる。 
　また、引用文献２に記載された事項の３つの３桁の図柄が表示されている表示装置は、引用発明１の液晶表示器４２のような演出用の表示装置であることは明らかである。
　それに、上記（ｍ）において既に検討したように、引用発明１の「第４図柄Ｚ１」（簡易図柄）は、図柄が停止されることにより当否判定の結果を示唆しているといえるから、図柄を３桁にしても、図柄が停止されることにより当否判定の結果を示唆しているといえる。 
　さらに、引用発明１と引用文献２に記載された事項とは、共に演出用の表示装置（液晶表示器）において、３桁の図柄を表示するパチンコ機に関する技術であり、技術分野及び機能が共通している。 
　したがって、引用文献２に記載された事項の「表示装置左下の狭い領域に表示される３桁の図柄」、及び「表示装置右下の狭い領域に表示される３桁の図柄」は、共に３桁の図柄であるから、引用発明１に引用文献２に記載された事項を適用して、引用発明１の「演出図柄」（装飾図柄）、「画面の左上隅位置で」の「縮小した状態」の「演出図柄」（代替図柄）だけでなく、「第４図柄Ｚ１、Ｚ２」（簡易図柄）も３桁の図柄にして、上記相違点２に係る本願発明の特定事項とすることは、当業者が容易になし得たことである。 
　よって、本願発明は、引用発明１、引用文献２に記載された事項及び上記周知技術に基づいて、当業者が容易になし得たものであるから、特許法第２９条第２項の規定により、特許を受けることができない。
　
２　請求人の主張について 
　審判請求人は、令和１年９月２７日付け意見書の３．３−１．「（２）理由１−１について」において、以下のように主張している。  
　引用文献１には、装飾図柄および代替図柄の双方を非表示にして簡易図柄を変動表示させる点について記載されておりません。引用文献１の図３４−図４１に示される画面例では、画面中央の演出図柄または画面左上の演出図柄のいずれか一方が常時表示されており、双方が同時に非表示となる点について明記されておりません。
　しかしながら、上記１「（１）相違点１について」において既に検討したように、演出図柄の変動表示として、簡易図柄のみが変動表示される場合があるようにすることは、周知技術であり、演出図柄の変動表示として、どのような何種類の演出図柄が変動表示される場合を設けるかは、設計的事項にすぎないから、請求人の主張を採用することはできない。
　また、請求人は、上記意見書において、以下の主張もしている。
　引用文献２では、代替図柄または簡易図柄に相当するとされた表示装置左下または表示装置右下に表示される３桁の図柄は、特別図柄の変動表示中に常時変動表示されるものではありません。引用文献２では、０分１０秒頃〜４分１０秒頃に実行される「友情火事場タイム」において表示装置右下の３桁の図柄が表示されるよう構成されており、０分９秒頃まで、および、４分１１秒頃以降（但し４分３０分頃を除く）では、画面中央または画面上側の左右に装飾図柄が表示されるのみであり、表示装置左下または表示装置右下に３桁の図柄は表示されません。したがって、引用文献２において表示装置左下または表示装置右下に表示される３桁の図柄は、本願発明の「特別図柄の変動表示中に常時変動表示される簡易図柄」に相当するとは言えません。
　しかしながら、上記１（ｍ）において既に検討したように、引用発明１の「第４図柄Ｚ１」（簡易図柄）は、特別図柄の変動表示中に常時変動表示されるものである。また、引用文献２に記載された事項には、３桁の図柄を３つ表示するパチンコ機が記載されているから、引用発明１に引用文献２に記載された事項を適用して、引用発明１の「演出図柄」（装飾図柄）、「画面の左上隅位置で」の「縮小した状態」の「演出図柄」（代替図柄）だけでなく、「第４図柄Ｚ１、Ｚ２」（簡易図柄）も３桁の図柄にすることは、当業者が容易になし得たことにすぎない。それに、引用発明１の「第４図柄Ｚ１、Ｚ２」（簡易図柄）に、引用文献２に記載された事項を適用して、単に３桁にするものであるから、引用発明１の「第４図柄Ｚ１、Ｚ２」（簡易図柄）が特別図柄の変動表示中に常時変動表示されるという構成を変更するものではない。
　したがって、請求人の主張を採用することはできない。
第６　理由１−２（進歩性）について
１　対比、判断
　本願発明と引用発明３とを対比する。
（ａ）引用発明３の「電動チューリップの始動口１４」、「遊技球が通過するゲート１５」及び「大入賞装置３２」は、遊技球が入賞又は通過する装置であるから、「遊技盤２」の「始動口１４」、「ゲート１５」及び「大入賞装置３２」が設けられている領域は、遊技領域であるといえる。
　したがって、引用発明３の「電動チューリップの始動口１４、遊技球が通過するゲート１５、大入賞装置３２が設置された遊技盤２」は、
　本願発明の「遊技領域が形成された遊技盤」に相当する。 
（ｂ）引用発明３の「始動口１４」は、本願発明の「始動入賞口」に相当する。
　また、上記（ａ）において検討したように、「始動口１４」は「遊技盤２」の遊技領域に設けられているから、「始動口１４」は遊技領域の所定の位置に設けられているといえる。
　したがって、引用発明３の「電動チューリップの始動口１４、遊技球が通過するゲート１５、大入賞装置３２が設置された遊技盤２」は、
　本願発明の「前記遊技領域の所定位置に設けられる始動入賞口」に相当する特定事項を有している。
（ｃ）引用発明３の「大当たり抽選用の乱数等（変動時間決定用乱数）」、「主制御装置４０」は、それぞれ、本願発明の「抽選値」、「当否判定手段」に相当する。
　また、引用発明３の「大当たり」及び「遊技者に有利な特別遊技」は、本願発明の「通常遊技より遊技者に有利な状態である特別遊技」に相当する。
　したがって、引用発明３の「始動口１４への入賞が検出されると、大当たり抽選用の乱数等（変動時間決定用乱数）を読み込み（Ｓ１１）、大当たり抽選用の乱数が当たり値のいずれかと一致すれば大当たりにし、遊技者に有利な特別遊技を行う主制御装置４０」は、
　本願発明の「前記始動入賞口への入球を契機として取得される抽選値に基づいて、通常遊技より遊技者に有利な状態である特別遊技へ移行するか否かを判定するための当否判定を実行する当否判定手段」に相当する。　
（ｄ）引用発明３の「特別図柄（ｃ）」、「特別図柄表示装置１１」は、それぞれ、本願発明の「特別図柄」、「特別図柄表示装置」に相当する。
　したがって、引用発明３の「特別図柄（ｃ）の変動表示が行われ、当否抽選が大当たりであると、大当たりを示す画像で確定表示される特別図柄表示装置１１」は、
　本願発明の「前記当否判定の結果を示すための特別図柄が変動表示される特別図柄表示装置」に相当する。
（ｅ）引用発明３の「主制御装置４０」は、本願発明の「特別遊技制御手段」に相当する。
　したがって、引用発明３の「大当たり抽選用の乱数が当たり値のいずれかと一致すれば大当たりにし、特別図柄表示装置１１に大当たりを示す画像が確定表示され、遊技者に有利な特別遊技を行う主制御装置４０」は、
　本願発明の「前記当否判定が前記特別遊技へ移行させる結果となったことを示す特別図柄が前記特別図柄表示装置に停止表示された場合に前記特別遊技を実行する特別遊技制御手段」に相当する。
（ｆ）引用発明３の「第１疑似図柄表示器１３と」「第２疑似図柄表示器２３と、で構成される表示部５０」は、本願発明の「演出表示装置」に相当する。
　また、引用発明３の「第２疑似図柄（ａ）の変動表示」は「演出の自由度が高い」から、演出的な内容が表示されるといえる。
　したがって、引用発明３の「変動時間と抽選結果を受信し、決定した変動パターンの第１疑似図柄（ｂ）の変動表示を行う第１疑似図柄表示器１３と、抽選結果と決定された第１疑似図柄（ｂ）の変動パターンに基づき決定した変動パターンの演出の自由度が高い第２疑似図柄（ａ）の変動表示を行う第２疑似図柄表示器２３と、で構成される表示部５０」は、
　本願発明の「前記当否判定の結果に基づいて演出的な内容が表示される演出表示装置」に相当する。
（ｇ）引用発明３の「第１疑似図柄（ｂ）」、「第２疑似図柄（ａ）」は、本願発明の「演出図柄」に相当すると共に、引用発明３の「演出の自由度が高い第２疑似図柄（ａ）の、変動開始となり、リーチ表示になり、仮確定表示がされ、確定表示がなされる、変動パターン」との記載から、引用発明３の少なくとも「第２疑似図柄（ａ）」は、変動表示過程が定められているといえる。
　また、引用発明３の「変動パターンを決定する統合基板４６」は、本願発明の「演出決定手段」に相当する。
　したがって、引用発明３の「変動時間と抽選結果を受信し、第１疑似図柄表示部１３で表示する第１疑似図柄（ｂ）の変動パターンを決定し、抽選結果と決定された第１疑似図柄（ｂ）の変動パターンに基づき、第２疑似図柄表示器２３で表示する演出の自由度が高い第２疑似図柄（ａ）の、変動開始となり、リーチ表示になり、仮確定表示がされ、確定表示がなされる、変動パターンを決定する統合基板４６」は、
　本願発明の「前記当否判定の結果を前記演出表示装置にて演出的に示す演出図柄の変動表示過程が定められた複数種の変動演出パターンからいずれかを決定する演出決定手段」に相当する。
（ｈ）引用発明３の「表示するように制御する統合基板４６」は、本願発明の「演出表示制御手段」に相当する。
　したがって、引用発明３の「第２疑似図柄（ａ）を決定した変動パターンで第２疑似図柄表示器２３に表示し、第１疑似図柄（ｂ）を決定した変動パターンで第１疑似図柄表示器１３に表示するように制御する統合基板４６」は、
　本願発明の「前記演出図柄を前記変動演出パターンにしたがって前記演出表示装置に表示させる演出表示制御手段」に相当する。
（ｉ）引用発明３の「第２疑似図柄（ａ）」、「第１疑似図柄（ｂ）」は、それぞれ、本願発明の「装飾図柄」、「簡易図柄」に相当する。
　しかしながら、引用文献３には、本願発明の「代替図柄」に相当する図柄は記載されていない。
　したがって、引用発明３の「表示部５０は、第２疑似図柄表示器２３で第２疑似図柄（ａ）の変動表示を行い、第１疑似図柄表示器１３で第１疑似図柄（ｂ）の変動表示を行」うことは、
　本願発明と「前記演出表示装置に表示される前記演出図柄の変動表示として、装飾図柄の変動表示と、」「簡易図柄の変動表示と、がある」点で共通している。
（ｊ）引用文献３には、「第１疑似図柄（ｂ）」（簡易図柄）のみが変動表示される場合があるかについては記載されておらず、上記（ｉ）において既に検討したように、本願発明の「代替図柄」に相当する図柄も記載されていない。
　したがって、引用発明３の「第２疑似図柄表示器２３の第２疑似図柄（ａ）と第１疑似図柄表示器１３の第１疑似図柄（ｂ）がほぼ同時に変動開始となり、第２疑似図柄表示器２３で確定表示がなされるのと同時に、第１疑似図柄表示器１３も確定表示され」ることは、
　本願発明と「前記演出図柄の変動表示として、前記装飾図柄および前記簡易図柄が同時に変動表示される場合」「があ」る点で共通している。
（ｋ）引用発明３は、「図柄の種類を示す数字部分」を有している。
　しかしながら、引用文献３には、本願発明の「付帯して表示される付帯部分」に相当する特定事項が記載されていない。
　したがって、引用発明３の「第２疑似図柄表示器２３に表示される第２疑似図柄（ａ）は、図柄の種類を示す数字部分を有し」ていることは、
　本願発明と「前記装飾図柄は、図柄種類を示す部分」「を有」している点で共通している。
（ｍ）引用発明３の「第２疑似図柄（ａ）は、図柄の種類を示す数字部分を有し」、引用発明３の「第１疑似図柄（ｂ）は、図柄の種類を示す数字部分を有する３桁の図柄で構成され」ているから、引用発明３の「第１疑似図柄（ｂ）」は、本願発明の「前記簡易図柄は、前記装飾図柄の図柄種類を示す部分に対応した外観上の表示形態を有する複数の図柄で構成され」ることに相当する特定事項を有している。
　また、引用発明３は「特別図柄表示装置１１の特別図柄（ｃ）と第１疑似図柄表示器１３の第１疑似図柄（ｂ）がほぼ同時に変動開始し、」「特別図柄表示装置１１と第１疑似図柄表示器１３が同時に大当たりを示す画像で確定表示される」から、引用発明３の「第１疑似図柄（ｂ）」（簡易図柄）は、特別図柄（ｃ）（特別図柄）の変動表示中に常時変動表示されるといえると共に、特別図柄（ｃ）（特別図柄）の変動表示中に常時変動表示されることにより特別図柄（ｃ）（特別図柄）が変動表示中であることを示唆しているといえる。
　さらに、引用発明３の「第１疑似図柄（ｂ）」（簡易図柄）は、「抽選が大当たりであると、第１疑似図柄（ｂ）を仮停止状態で表示する場合、遊技者が当該変動が当たりとなることを認識でき、特別図柄表示装置１１と第１疑似図柄表示器１３が同時に大当たりを示す画像で確定表示される」から、引用発明３の「第１疑似図柄（ｂ）」（簡易図柄）は、「仮停止状態」及び「確定表示」により、抽選（当否判定）の結果を示唆しているといえる。　
　したがって、引用発明３の「第１疑似図柄表示器１３に表示される第１疑似図柄（ｂ）は、図柄の種類を示す数字部分を有する３桁の図柄で構成され、特別図柄表示装置１１の特別図柄（ｃ）と第１疑似図柄表示器１３の第１疑似図柄（ｂ）がほぼ同時に変動開始し、抽選が大当たりであると、第１疑似図柄（ｂ）を仮停止状態で表示する場合、遊技者が当該変動が当たりとなることを認識でき、特別図柄表示装置１１と第１疑似図柄表示器１３が同時に大当たりを示す画像で確定表示される」ことは、
　本願発明の「前記簡易図柄は、前記装飾図柄の図柄種類を示す部分に対応した外観上の表示形態を有する複数の図柄で構成され、前記特別図柄の変動表示中に常時変動表示されることにより前記特別図柄が変動表示中であることを示唆し、その複数の図柄のすべてが停止表示されることにより前記当否判定の結果を示唆する」ことに相当する。
（ｎ）引用発明３の「パチンコ機１」は、本願発明の「弾球遊技機」に相当する。
　上記（ａ）〜（ｎ）から、本願発明と引用発明３とは、
［一致点］
「Ａ　遊技領域が形成された遊技盤と、
Ｂ　前記遊技領域の所定位置に設けられる始動入賞口と、
Ｃ　前記始動入賞口への入球を契機として取得される抽選値に基づいて、通常遊技より遊技者に有利な状態である特別遊技へ移行するか否かを判定するための当否判定を実行する当否判定手段と、
Ｄ　前記当否判定の結果を示すための特別図柄が変動表示される特別図柄表示装置と、
Ｅ　前記当否判定が前記特別遊技へ移行させる結果となったことを示す特別図柄が前記特別図柄表示装置に停止表示された場合に前記特別遊技を実行する特別遊技制御手段と、
Ｆ　前記当否判定の結果に基づいて演出的な内容が表示される演出表示装置と、
Ｇ　前記当否判定の結果を前記演出表示装置にて演出的に示す演出図柄の変動表示過程が定められた複数種の変動演出パターンからいずれかを決定する演出決定手段と、
Ｈ　前記演出図柄を前記変動演出パターンにしたがって前記演出表示装置に表示させる演出表示制御手段と、を備え、
Ｉ’　前記演出表示装置に表示される前記演出図柄の変動表示として、装飾図柄の変動表示と、簡易図柄の変動表示と、があり、
Ｊ’　前記演出図柄の変動表示として、前記装飾図柄および前記簡易図柄が同時に変動表示される場合があり、
Ｋ’　前記装飾図柄は、図柄種類を示す部分を有し、
Ｍ　前記簡易図柄は、前記装飾図柄の図柄種類を示す部分に対応した外観上の表示形態を有する複数の図柄で構成され、前記特別図柄の変動表示中に常時変動表示されることにより前記特別図柄が変動表示中であることを示唆し、その複数の図柄のすべてが停止表示されることにより前記当否判定の結果を示唆する
Ｎ　弾球遊技機。」
 である点で一致し、以下の点で相違する。  
  
［相違点１］（特定事項Ｉ）  
　「装飾図柄の変動表示と、」「簡易図柄の変動表示と、があ」る「前記演出表示装置に表示される前記演出図柄の変動表示」に関して、
　本願発明は「代替図柄の変動表示」「があ」るのに対して、
　引用発明３は、引用文献３に「代替図柄」に相当する図柄は記載されていないため、そのような特定事項でない点。
  
［相違点２］（特定事項Ｊ）  
　「前記装飾図柄および前記簡易図柄が同時に変動表示される場合」がある「前記演出図柄の変動表示」に関して、
　本願発明は「前記代替図柄および前記簡易図柄が同時に変動表示される場合と、前記装飾図柄および前記代替図柄を非表示にして前記簡易図柄が変動表示される場合とがあ」るのに対して、
　引用発明３は、引用文献３に「代替図柄」に相当する図柄は記載されておらず、「第１疑似図柄（ｂ）」（簡易図柄）のみが変動表示される場合があるかについて記載されていないため、そのような特定事項でない点。
［相違点３］（特定事項Ｋ）  
　「図柄種類を示す部分」「を有」する「前記装飾図柄」に関して、
　本願発明は「付帯して表示される付帯部分」「を有し」ているのに対して、
　引用発明３は、引用文献３に「付帯して表示される付帯部分」に相当する特定事項が記載されていないため、そのような特定事項でない点。
［相違点４］（特定事項Ｌ） 
　本願発明は「前記代替図柄は、前記装飾図柄の図柄種類を示す部分に対応した外観上の表示形態を有し、前記装飾図柄を非表示とする場合に前記装飾図柄が変動表示される領域よりも狭い領域内において前記装飾図柄の代わりに変動表示され」るのに対して、
　引用発明３は、引用文献３に「代替図柄」に相当する図柄は記載されていないため、そのような特定事項でない点。
以下、上記相違点について検討する。  
  
（１）相違点１、３〜４について
　相違点１、３〜４は、関連するのでまとめて検討する。
　上記第４「１　引用文献１」において既に検討したように、引用文献１には、次の事項が記載されている（以下、「引用文献１に記載された事項」という）。 
「ｉ、ｊ、ｌ　液晶表示器４２の画面内には３本の演出図柄の列が「４」−「６」−「７」で停止していることが大きく表示されると共に、第４図柄Ｚ１，Ｚ２がはずれに対応する態様（白表示色）で停止表示され（図３５（Ａ））、第１特別図柄の変動開始に同期して、液晶表示器４２の表示画面上で３本の演出図柄の列がスクロール変動することで変動表示演出が開始されると共に、液晶表示器４２の画面下部では第４図柄Ｚ１がその表示色を変化させることで変動表示され（図３５（Ｂ））、第１特別図柄の変動中に表示画の両側から扉（襖）が出現し、中央でぴしゃりと閉じる演出が行われ、演出図柄が消え、代わりに、画面の左上隅位置では、演出図柄を縮小した状態で変動表示演出が実行されている（「１」−「変動中」−「変動中」）と共に、液晶表示器４２の画面下部では第４図柄Ｚ１がその表示色を変化させることで変動表示され（図３５（Ｃ））、
ｋ　演出図柄は、数字の「１」〜「９」とともにキャラクターが付された絵札をデザインしたものとなっている、
ｎ　パチンコ機１。」
　また、引用文献１に記載された事項の「演出図柄」、「画面の左上隅位置で」の「縮小した状態」の「演出図柄」は、それぞれ、本願発明の「装飾図柄」、「代替図柄」に相当する。
　引用発明３と引用文献１に記載された事項とは、共に演出用の表示装置において、演出図柄（疑似図柄）を表示するパチンコ機の技術に関するものであり、技術分野及び機能が共通している。 
　引用発明３の「第２疑似図柄（ａ）」の代わりに、引用文献１に記載された事項における「演出図柄」（装飾図柄）、及び「演出図柄が消え、代わりに」「画面の左上隅位置で」「縮小した状態で変動表示演出が実行され」る「演出図柄」（代替図柄）を適用して、上記相違点１、３〜４に係る本願発明の特定事項とすることは、当業者が容易になし得たことである。
（２）相違点２について 
　上記引用文献１に記載された事項には、「演出図柄が消え、代わりに、画面の左上隅位置では、演出図柄を縮小した状態で変動表示演出が実行されている（「１」−「変動中」−「変動中」）と共に、液晶表示器４２の画面下部では第４図柄Ｚ１がその表示色を変化させることで変動表示され（図３５（Ｃ））」るようにすることが記載されているから、上記「（１）相違点１、３〜４について」において、引用発明３の「第２疑似図柄（ａ）」の代わりに、引用文献１に記載された事項の「演出図柄」（装飾図柄）、及び「演出図柄が消え、代わりに」「画面の左上隅位置で」「縮小した状態で変動表示演出が実行され」る「演出図柄」（代替図柄）を適用すると、「前記演出図柄の変動表示」として、「前記代替図柄および前記簡易図柄が同時に変動表示される場合」がある特定事項になる。
　　
　また、演出図柄の変動表示として、簡易図柄のみが変動表示される場合があるようにすることは、上記第５　１「（１）相違点１について」において既に検討したように、周知技術であると共に、演出図柄の変動表示として、どのような何種類の演出図柄が変動表示される場合を設けるかは、設計的事項にすぎない。
　引用発明３の「遊技機１」に上記周知技術を適用して、引用発明３の「演出図柄」（装飾図柄）、「画面の左上隅位置で」の「縮小した状態」の「演出図柄」（代替図柄）を非表示にして、「第４図柄Ｚ１、Ｚ２」（簡易図柄）が変動表示される場合があるようにして、上記相違点２に係る本願発明の構成とすることは、当業者が容易になし得たことである。 
　よって、本願発明は、引用発明３、引用文献１に記載された事項及び上記周知技術に基づいて、当業者が容易になし得たものであるから、特許法第２９条第２項の規定により、特許を受けることができない。
　
２　請求人の主張について 
　審判請求人は、令和１年９月２７日付け意見書の３．３−１．「（３）理由１−２について」において、以下のように主張している。  
　引用文献３では、特別図柄の変動表示中に第２擬似図柄を非表示とする点について何ら開示も示唆もされておりません。また、上述の通り、引用文献１では、装飾図柄と代替図柄の双方を非表示とする点について何ら開示も示唆もされておりません。したがって、引用発明３に引用文献１の構成を適用したとしても、本願発明に特有の「装飾図柄および代替図柄を非表示にして簡易図柄が変動表示される」という発明特定事項を実現することはできず、引用文献３、１に基づいて本願発明の特定事項とすることは当業者が容易になし得たことであるということはできません。
　しかしながら、上記１「（２）相違点２について」において既に検討したように、演出図柄の変動表示として、簡易図柄のみが変動表示される場合があるようにすることは、周知技術であり、演出図柄の変動表示として、どのような何種類の演出図柄が変動表示される場合を設けるかは、設計的事項にすぎず、本願発明の「装飾図柄および代替図柄を非表示にして簡易図柄が変動表示される」特定事項とすることは、想到容易であるから、請求人の主張を採用することはできない。
第７　むすび
　以上のとおり、本願発明は、当業者が引用発明１、引用文献２に記載された事項及び上記周知技術に基づいて、又は引用発明３、引用文献１に記載された事項及び上記周知技術に基づいて容易に発明することができたものであるから、特許法第２９条第２項の規定により特許を受けることができないものである。
　したがって、本願は拒絶すべきものである。
　よって、結論のとおり審決する。